(57)【要約】【課題】本考案は当該学年で履修すべき全新出英単語を総合的に学習する事により、多くの中学生が直面している英単語の正確な発音が分からない為リスニング問題が聞き取れない、あるいは英単語のスペルや訳が分からない為英作文が書けない等の問題を解決する。【解決手段】本考案は当該学年で履修すべき英単語の英単語・訳語一覧表１を作成。これを基にスペルが書ける空白部２ｃを設けた英単語スペル練習用シート２Ａを使用して訳語とスペルを暗記。暗記の状態は英単語スペルテスト用シート２Ｂで確認。英単語・訳語一覧表１の全ての英単語について以上の学習が終れば訳語テスト用一覧表３および英単語スペルテスト用一覧表４にて最終テストを実施して英単語の訳、スペルの暗記を確実なものとし英作文力を強化する。同時に全ての英単語・訳語一覧表１について音声収録したテープ又はＣＤを聞くことでリスニング力も強化する。【選択図】    図１
0003116159.tif 000002
【実用新案登録請求の範囲】
【請求項１】
英単語と訳語が対となるように数列に表記形成された英単語・訳語一覧表と、この一覧表から訳語を除いてその部分を空白とした英単語のみの訳語テスト用一覧表、逆に英単語を除いてその部分を空白とした訳語のみの英単語スペルテスト用一覧表、英単語と訳語とが対に表記された右側にその英単語スペルを多く書いて練習するための空白部を設けた英単語スペル練習用シート、このシートの英単語と訳語との列を入れ替え英単語を除いて空白とし暗記した英単語スペルを記入出来るようにした英単語スペルテスト用シート、および全ての英単語・訳語一覧表に記載の英単語と訳語を音声で収録したテープ又はＣＤとからなることを特徴とする中学英単語学習教材。
【請求項２】
上記英単語・訳語一覧表、英単語スペル練習用シート、英単語スペルテスト用シート、訳語テスト用一覧表、および英単語スペルテスト用一覧表を１セットとし、数セットの繰り返しで、当該学年で履修すべき英単語の訳語、スペル、発音が総合的に学習できることを特徴とする請求項１記載の中学英単語学習教材。
【請求項３】
上記英単語・訳語一覧表は、当該学年で履修すべき英単語を左側に、右に訳語が対になるよう表記形成された数列からなり、この一覧表に基づき、特に英単語部はネイティブの発音によるものとし、これと日本人による訳語とを音声収録したテープ又はＣＤを用いて英単語の正しい発音と訳語を耳と目の両方で学習することを特徴とする請求項１又は２記載の中学英単語学習教材。
【請求項４】
上記英単語・訳語一覧表から所定の期間に練習可能な数の英単語、訳語を上から順に選び、英単語と訳語を２列に表記した英単語スペル練習用シートの右側空白部を使用して、訳語を口ずさみながら英単語スペルを繰返し書くことにより、訳語と英単語スペルが同時に暗記出来ることを特徴とする請求項１又は２記載の中学英単語学習教材。
【請求項５】
英単語スペルテスト用シートは、英単語スペルの暗記状態をチエックするだけでなく、スペルを間違った英単語について、右の空白部を使用して再度練習を行なう事ができることを特徴とする請求項１又は２記載の中学英単語学習教材。
【請求項６】
英単語スペル練習用シートおよび英単語スペルテスト用シートを使用しての英単語・訳語一覧表に記載された全ての英単語の暗記学習が終了した後、１セット毎に訳語テスト用一覧表、英単語スペルテスト用一覧表を用いて、それまでに学習した英単語・訳語一覧表の全ての訳語および英単語スペルの暗記定着状態を確認出来ることを特徴とする請求項１又は２記載の中学英単語学習教材。
【考案の詳細な説明】
【技術分野】
【０００１】本考案は、中学校で習う英単語の学習教材に関するものである。
【背景技術】
【０００２】中学生が英単語の学習を行う場合、単語カードを自作して、自らの記憶力を試したり、英単語と訳語を対で表記した一覧表で、対応する一対の事項を覆紙等の補助具を用い該当事項を隠して自問自答して記憶する、単語スペルを何度も書いて覚える、あるいは学習器による等の学習方法がよく知られている。
【考案の開示】
【考案が解決しようとする課題】
【０００３】しかし乍がら、各学年で履修すべき基本的英単語を系統立てて総合的に学習する事が不十分な為、多くの生徒が英単語の正確な発音が分からずリスニング問題が聞き取れないとか、英単語のスペルが書けないため英作文が書けない等の問題を有している。本願考案は、以上の問題点に着目したものであり、その問題点を解決するための中学英単語学習教材を提供することを目的とする。
【課題を解決するための手段】
【０００４】本考案は、中学校の当該学年で学習する基本的な新出英単語が限られている事から、学年毎に履修すべき英単語について、英単語・訳語一覧表を作成。これを基に多くのスペルが書ける空白部を設けた英単語スペル練習用シートを使用して訳語とスペルの暗記を行う。暗記の状態は英単語スペルテスト用シートで確認。このサイクルを数回繰返して英単語・訳語一覧表記載の全ての英単語についての学習が終了すれば訳語テスト用一覧表および英単語スペルテスト用一覧表で最終的な暗記定着状態を確認する。又、英単語・訳語一覧表記載の英単語、訳語を音声収録したテープ又はＣＤを使用して英単語・訳語一覧表を見ながら目と耳で学習するという事を併行して行なう総合的学習により英作文力、リスニング力の強化を図り、これらの問題点を解決している。
【考案の効果】
【０００５】上述の様に、本考案の中学英単語学習教材は、学年毎に履修すべき英単語を系統立てて総合的に学習できるので、無理なく訳語を覚え、英単語のスペルが書ける様になると共に、正しい英単語の発音が身に付く事により英作文力、リスニング力の向上を図ることができる。ちなみに本考案の提案者が、複数の小学６年生に対し週に１度、この学習教材を用いて、中学１年生が１年間で履修する基本的な新出英単語約３５０語を学習させたところ、僅か４ヶ月で全員が９０％以上の英単語スペルが書け、正しい英単語の発音とその訳語が言えるようになった。したがって、この中学英単語学習教材により全国の中学生の英語力向上が期待できる。
【考案を実施するための最良の形態】
【０００６】英単語・訳語一覧表の上から順に所定の期間に練習可能な数の英単語と訳語を対に表記した英単語スペル練習用シートを用いて、その右側空白部に訳語とスペルを交互に口ずさみながら英単語スペルを繰返し書いて練習する。その後、英単語を全て遮蔽物で隠し訳語だけを見て全部の英単語スペルが書けるかメモ紙でチェックを行ない、書ける目処がつけば英単語スペルテスト用シートを用いてテストを行なう。もし英単語スペルの間違っていたものがあれば再度右側の空白部を使用して練習を繰返し確実に暗記する。このサイクルを数回繰返し英単語・訳語一覧表記載の英単語全部についての学習が終れば、訳語テスト用一覧表および英単語スペルテスト用一覧表を用いて、それまで学習した英単語の訳語、スペルの暗記定着状態をテストで確認する。
この１セット分の学習が終了すれば、次の英単語・訳語一覧表について同様の学習を繰り返し、当該学年で履修すべき新出英単語の全てについて訳語と英単語スペルの暗記学習を行なう。この学習と併行して、当該学年で履修すべき英単語・訳語一覧表の全てを音声収録したテープ又はＣＤ用い、英単語・訳語一覧表を見ながら目と耳により英単語と訳語の関係、および英単語の正しい発音を学習する。
【実施例】
【０００７】  以下、添付図面に従って一実施例を説明する。図１は英単語・訳語一覧表１で英単語１ａと訳語１ｂが対となる形で、１列に３５の英単語とその訳語からなる６列の計１０５の英単語とその訳語が表記されている。この英単語・訳語一覧表１の上から順に選んだ２１の英単語とその訳語が対となる形で、２ａに英単語２ｂに訳語が表記された図２英単語スペル練習用シート２Ａ右側の英単語スペル練習用空白部２ｃを使用して訳語とスペルを交互に口ずさみながら繰返しスペルを書く練習を行なう。その後、英単語全てを遮蔽物で隠し訳語のみを見ながら英単語のスペルが書けるか確認後、英単語スペルテスト用シート２Ｂを用いて訳語２ｂに対する英単語スペルを英単語スペル記入欄２ｄに記入していく。英単語スペルの間違っている語が有れば、再度右側の空白部２ｃで練習し確実に暗記する。以上の行程を５回繰り返すと英単語・訳語一覧表１に表記された英単語と訳語の全ての暗記学習が終了するので、図３訳語テスト用一覧表３を用いて英単語１ａに対する訳語を訳語記入欄３ｂに記入し暗記定着状態を確認する。同様に図４英単語スペルテスト用一覧表４を用いて訳語１ｂに対する英単語スペルをスペル記入欄４ａに記入して暗記定着状態を確認する。以上を１セットとして数セットを繰り返すことにより当該学年で履修すべき新出英単語についての学習を完了する。この学習と併行して、全ての英単語・訳語一覧表１を音声収録したテープ又はＣＤ用い、英単語・訳語一覧表１を見ながら目と耳により英単語と訳語の関係、および英単語の正しい発音を学習する。【０００８】本考案の一実施例は上述の如き構成からなるものであるが、英単語・訳語一覧表の英単語と訳語数および英単語スペル練習用シートの英単語と訳語数は、学習の頻度、時間等により自由に変えることが出来る。
【図面の簡単な説明】
【０００９】
【図１】１英単語・訳語一覧表を示す平面図である。
【図２】２Ａ英単語スペル練習用シートおよび２Ｂ英単語スペルテスト用シートを示す平面図である。
【図３】３訳語テスト用一覧表を示す平面図である。
【図４】４英単語スペルテスト用一覧表を示す平面図である。
【符号の説明】
【００１０】１    英単語・訳語一覧表
１ａ  英単語
１ｂ  訳語
２Ａ  英単語スペル練習用シート
２ａ  英単語
２ｂ  訳語
２ｃ  英単語スペル練習用空白部
２Ｂ  英単語スペルテスト用シート
２ｂ  訳語
２ｄ  英単語スペル記入欄
３    訳語テスト用一覧表
３ｂ  訳語記入欄
４    英単語スペルテスト用一覧表
４ａ  英単語スペル記入覧
【図１】
0003116159.tif 000003
【図２】
0003116159.tif 000004
【図３】
0003116159.tif 000005
【図４】
0003116159.tif 000006